(57)【特許請求の範囲】
【請求項１】
電動モータ等の単一の回転駆動源から直接的な伝動形態で、又は歯車、摩擦車等を用いた接触伝動機構若しくはベルト、ロープ、ワイヤ、チェン等を用いた巻き掛け伝動機構を介して間接的な伝動形態で、遊技球の入賞に関与するように遊技盤に配置される第一遊技部材に動力伝達を行うことが可能とされた第一伝動系と、
線状、紐状、コイル状等の細長形状をなし、可撓性とともに軸線周りでの回転に対するねじれ弾性を有する２つのねじれ回転伝動体を含み、遊技球の入賞に関与しないように前記遊技盤に配置される２つの第二遊技部材にそれぞれ動力伝達を行うことが予定された第二伝動系とを備え、
前記回転駆動源の駆動軸若しくはその駆動軸により駆動される被駆動軸、又は前記接触伝動機構若しくは巻き掛け伝動機構の伝動軸のいずれかを前記第二伝動系の原動軸とし、前記２つのねじれ回転伝動体は、一端が前記原動軸の両端の軸中心にそれぞれ接続されるとともに、他端が前記２つの第二遊技部材の各々に配置される従動軸の軸中心にそれぞれ接続され、
前記第一伝動系による前記第一遊技部材の作動と同時に、前記第二伝動系の２つのねじれ回転伝動体による前記２つの第二遊技部材の回転作動が可能であることを特徴とする遊技機用伝動ユニット。
【請求項２】
電動モータ等の単一の回転駆動源から直接的な伝動形態で、遊技球の入賞に関与するように第一遊技部材を遊技盤の盤面に対し交差状の軸線周りに回転させて動力伝達を行うことが可能とされた第一伝動系と、
線状、紐状、コイル状等の細長形状をなし、可撓性とともに軸線周りでの回転に対するねじれ弾性を有する２つのねじれ回転伝動体を含み、遊技球の入賞に関与しないように２つの第二遊技部材を前記遊技盤の盤面に対し交差状の軸線周りにそれぞれ回転させて動力伝達を行うことが予定された第二伝動系とを備え、
前記回転駆動源の駆動軸により駆動される被駆動軸を前記第二伝動系の原動軸とし、前記２つのねじれ回転伝動体は、一端が前記原動軸の両端の軸中心にそれぞれ接続されるとともに、他端が前記２つの第二遊技部材の各々に配置される従動軸の軸中心にそれぞれ接続され、
前記第一伝動系による前記第一遊技部材の回転作動と同時に、前記第二伝動系の２つのねじれ回転伝動体による前記２つの第二遊技部材の回転作動が可能であることを特徴とする遊技機用伝動ユニット。
【請求項３】
電動モータ等の単一の回転駆動源から歯車伝動機構を介して間接的な伝動形態で、遊技球の入賞に関与するように第一遊技部材を遊技盤の盤面に対し平行状の軸線周りに回転させて動力伝達を行うことが可能とされた第一伝動系と、
線状、紐状、コイル状等の細長形状をなし、可撓性とともに軸線周りでの回転に対するねじれ弾性を有する２つのねじれ回転伝動体を含み、遊技球の入賞に関与しないように２つの第二遊技部材を前記遊技盤の盤面に対し交差状の軸線周りにそれぞれ回転させて動力伝達を行うことが予定された第二伝動系とを備え、
前記回転駆動源の駆動軸により駆動される被駆動軸を前記第二伝動系の原動軸とし、前記２つのねじれ回転伝動体は、一端が前記原動軸の両端の軸中心にそれぞれ接続されるとともに、他端が前記２つの第二遊技部材の各々に配置される従動軸の軸中心にそれぞれ接続され、
前記第一伝動系による前記第一遊技部材の回転作動と同時に、前記第二伝動系の２つのねじれ回転伝動体による前記２つの第二遊技部材の回転作動が可能であることを特徴とする遊技機用伝動ユニット。
【請求項４】
前記第一伝動系には、遊技球の入賞に関与する形で前記第一遊技部材が着脱可能に接続される請求項１ないし３のいずれか１項に記載の遊技機用伝動ユニット。
【請求項５】
前記第一伝動系には、前記第一遊技部材に代わり、遊技球の入賞に関与しない形で前記遊技盤に配置される、前記第二遊技部材以外の他の遊技部材を接続して動力伝達を行うことが可能である請求項４に記載の遊技機用伝動ユニット。
【発明の詳細な説明】
【技術分野】
【０００１】
本発明は、遊技機用伝動ユニットに関する。
【背景技術】
【０００２】
パチンコ機等の遊技機には、遊技盤の盤面に複数の遊技部材が配設されている。盤面上の遊技部材には、遊技球の入賞に関与するもの（すなわち賞球払出の対象となる遊技機用入賞部材、遊技機用振分入賞部材等）と、遊技球の入賞には関与しないもの（遊技機用風車、遊技機用振分部材、遊技機用装飾部材等）とがあり、これらの中には電動モータ、ソレノイド等の駆動源によって駆動されるものも多い。これらの被駆動式遊技部材は広い遊技領域に散在し互いに異なる作動を行うため、遊技部材ごとに駆動源と伝動機構とを備えるのが一般的である。
【０００３】
特に、入賞に関与する遊技部材では、遊技に対する公平性（入賞に対する信頼感・安心感）を維持するためにも作動速度の局部的な変動を避けて常時一定速度で作動させたり、作動タイミングを制御したりする必要があり、原則としてこれらを要しない、入賞に関与しない遊技部材と同一の駆動源で同時に駆動させることは困難である。このため、遊技盤の裏面には遊技部材に付随する駆動源や伝動機構が多数取り付けられることとなり、多くのスペースと複雑な構造を要する。また、搭載重量も重くなるため、遊技盤自体及び外枠への取付を頑丈にしなければならず、それに伴う製造コストの上昇も避けられない。
【０００４】
一方、回転式の伝動機構の１種に、たわみ軸(flexible shaft)等のねじれ回転伝動体が知られている。たわみ軸は、線状、紐状、コイル状等の細長形状をなし、可撓性とともに軸線周りでの回転に対するねじれ弾性を有しており、例えば自動車のスピードメータやタコメータの駆動（回転伝動）に用いられている。ただし、これまでの用途は、狭い空間における駆動側の回転軸から被駆動側の回転軸への単純な伝動のみに限られている。
【発明の開示】
【発明が解決しようとする課題】
【０００５】
本発明の課題は、ねじれ回転伝動体を用いることによって、単一の駆動源から複数の遊技部材への動力伝達が、各遊技部材の特質に応じて同時に行える遊技機用伝動ユニットを提供することにある。
【課題を解決するための手段及び発明の効果】
【０００６】
上記課題を解決するために、本発明の遊技機用伝動ユニットは、
電動モータ等の単一の回転駆動源から直接的な伝動形態で、又は歯車、摩擦車等を用いた接触伝動機構若しくはベルト、ロープ、ワイヤ、チェン等を用いた巻き掛け伝動機構を介して間接的な伝動形態で、遊技球の入賞に関与するように遊技盤に配置される第一遊技部材に動力伝達を行うことが可能とされた第一伝動系と、
線状、紐状、コイル状等の細長形状をなし、可撓性とともに軸線周りでの回転に対するねじれ弾性を有する２つのねじれ回転伝動体を含み、遊技球の入賞に関与しないように前記遊技盤に配置される２つの第二遊技部材にそれぞれ動力伝達を行うことが予定された第二伝動系とを備え、
前記回転駆動源の駆動軸若しくはその駆動軸により駆動される被駆動軸、又は前記接触伝動機構若しくは巻き掛け伝動機構の伝動軸のいずれかを前記第二伝動系の原動軸とし、前記２つのねじれ回転伝動体は、一端が前記原動軸の両端の軸中心にそれぞれ接続（例えば固定）されるとともに、他端が前記２つの第二遊技部材の各々に配置される従動軸の軸中心にそれぞれ接続（例えば固定）され、
前記第一伝動系による前記第一遊技部材の作動（例えば回転作動）と同時に、前記第二伝動系の２つのねじれ回転伝動体による前記２つの第二遊技部材の回転作動が可能であることを特徴とする。
【０００７】
そして、上記課題を解決するために、本発明の遊技機用伝動ユニットの具体的態様の第一は、
電動モータ等の単一の回転駆動源から直接的な伝動形態で、遊技球の入賞に関与するように第一遊技部材を遊技盤の盤面に対し交差状（例えば直交状）の軸線周りに回転させて動力伝達を行うことが可能とされた第一伝動系と、
線状、紐状、コイル状等の細長形状をなし、可撓性とともに軸線周りでの回転に対するねじれ弾性を有する２つのねじれ回転伝動体を含み、遊技球の入賞に関与しないように２つの第二遊技部材を前記遊技盤の盤面に対し交差状（例えば直交状）の軸線周りにそれぞれ回転させて動力伝達を行うことが予定された第二伝動系とを備え、
前記回転駆動源の駆動軸により駆動される被駆動軸を前記第二伝動系の原動軸とし、前記２つのねじれ回転伝動体は、一端が前記原動軸の両端の軸中心にそれぞれ接続（例えば固定）されるとともに、他端が前記２つの第二遊技部材の各々に配置される従動軸の軸中心にそれぞれ接続（例えば固定）され、
前記第一伝動系による前記第一遊技部材の回転作動と同時に、前記第二伝動系の２つのねじれ回転伝動体による前記２つの第二遊技部材の回転作動が可能であることを特徴とする。
【０００８】
また、上記課題を解決するために、本発明の遊技機用伝動ユニットの具体的態様の第二は、
電動モータ等の単一の回転駆動源から歯車伝動機構を介して間接的な伝動形態で、遊技球の入賞に関与するように第一遊技部材を遊技盤の盤面に対し平行状の軸線周りに回転させて動力伝達を行うことが可能とされた第一伝動系と、
線状、紐状、コイル状等の細長形状をなし、可撓性とともに軸線周りでの回転に対するねじれ弾性を有する２つのねじれ回転伝動体を含み、遊技球の入賞に関与しないように２つの第二遊技部材を前記遊技盤の盤面に対し交差状（例えば直交状）の軸線周りにそれぞれ回転させて動力伝達を行うことが予定された第二伝動系とを備え、
前記回転駆動源の駆動軸により駆動される被駆動軸を前記第二伝動系の原動軸とし、前記２つのねじれ回転伝動体は、一端が前記原動軸の両端の軸中心にそれぞれ接続（例えば固定）されるとともに、他端が前記２つの第二遊技部材の各々に配置される従動軸の軸中心にそれぞれ接続（例えば固定）され、
前記第一伝動系による前記第一遊技部材の回転作動と同時に、前記第二伝動系の２つのねじれ回転伝動体による前記２つの第二遊技部材の回転作動が可能であることを特徴とする。
【０００９】
これらの遊技機用伝動ユニットによれば、遊技球の入賞に関与する第一遊技部材へは、電動モータ等の回転駆動源から直接的な伝動形態、又は接触伝動機構や巻き掛け伝動機構による間接的な伝動形態を有する第一伝動系で動力伝達が行える。そこで、第一遊技部材では、その作動速度に局部的な変動を発生させずに常時一定速度で駆動することができ、作動タイミングを制御するのも容易である。したがって、遊技に対する公平性、すなわち第一遊技部材への入賞に対する信頼感・安心感を維持することができる。他方、遊技球の入賞に関与しない第二遊技部材においては、作動速度の均一化や作動タイミングの制御等を原則として必要としないため、ねじれ回転伝動体を含む比較的安価かつ簡便で間接的な伝動形態を有する第二伝動系で動力伝達が行える。
【００１０】
このように、遊技球の入賞に関与する第一遊技部材と遊技球の入賞に関与しない第二遊技部材とに、各遊技部材の特質に応じて２つの異なる伝動系（伝動形態）で、単一の回転駆動源から同時に動力伝達することができる。しかも、ねじれ回転伝動体は細長形状をなし、可撓性とねじれ弾性を有しているため、第二遊技部材が回転駆動源に対して第一遊技部材よりも遠くに位置する場合や、第二遊技部材に至る伝動径路の途中に狭いスペースがある場合であっても、第二伝動系による動力伝達が支障なく行なえる。
【００１１】
なお、本発明において、「遊技部材」とは、遊技盤の盤面上に配置され、電動モータ等の回転駆動源によって駆動される遊技関連の諸部材を指す。このうち、「第一遊技部材」は、遊技球の入賞（すなわち賞球払出）に関与する遊技部材をいい、遊技機用可変入賞部材（例えば、回動翼片、開閉扉）、遊技機用振分入賞部材等が含まれ、その作動方式は回転式、スライド式等を問わない。ただし、「遊技球の入賞に関与する」というとき、遊技球を入賞させるように関与する場合と、入賞した（入賞が決定した）遊技球に関与する場合とを含む。一方、「第二遊技部材」は、遊技球の入賞に関与しない遊技部材をいい、遊技機用風車、遊技機用振分部材、遊技機用遊技球遊動部材（例えば、スロープ、クルーン）、遊技機用装飾部材（例えば、回転装飾部材）等の回転式遊技部材が含まれる。また、「遊技機」には、パチンコ機、アレパチ機等の弾球遊技機を含む。
【００１２】
そこで、第一遊技部材、第二遊技部材ともに回転作動式の遊技部材の場合には、駆動源の回転駆動力を第一伝動系及び第二伝動系で各遊技部材に回転伝達すればよいので、伝達ロスを少なくして効率のよい動力伝達が行なえる。その際、第二伝動系にねじれ回転伝動体を用いているため、両遊技部材は互いの回転軸線の配置関係（平行状又は交差状）において自由度が高くなる。
【００１３】
このような遊技機用伝動ユニットでは、第一伝動系は、回転駆動源から第一遊技部材への単一の系統を備え、第二伝動系は、第二遊技部材の接続予定数に応じ、各々の第二遊技部材の従動軸へねじれ回転伝動体を各別に接続することにより、回転駆動源に対して複数の系統を備えることもできる。被駆動式の遊技部材（特に第二遊技部材）が広い遊技領域に散在していても、複数のねじれ回転伝動体を用いることによって対応する各々の第二遊技部材へ同時に動力伝達できる。したがって、遊技盤の裏面において、第二遊技部材へ動力伝達する第二伝動系の省スペース化と構造の簡素化を図ることができ、製造コストを抑制することができる。
【００１４】
次に、遊技機用伝動ユニットの第一伝動系及び第二伝動系を遊技盤に支持させる（取り付ける）に当っては、種々の形態をとりうる。例えば、第一伝動系と第二伝動系とを、遊技盤に固定される単一の取付部材に共通して支持してもよい。第二遊技部材が第一遊技部材に近接して位置する場合には、これらの遊技部材と遊技機用伝動ユニットとを単一の取付部材に取り付け、一括して遊技盤に固定すればよいので、取付けを簡素化することができる。
【００１５】
また、第一伝動系を遊技盤に固定される第一の取付部材に支持し、第二伝動系を遊技盤に固定される第二の取付部材に支持してもよい。第二遊技部材が回転駆動源に対して第一遊技部材よりも遠くに位置する場合には、各々の取付部材に遊技部材とそれに対応する伝動系とを取り付け、各別に遊技盤に固定すればよいので、遊技領域全体にわたって広く適用することができる。
【００１６】
勿論、第二伝動系が複数の系統を備える場合には、第二伝動系を第一の取付部材に支持される系統と、第二の取付部材に支持される系統とに分けて取り付けてもよい。遊技機用伝動ユニットをこのように構成すれば、単一の回転駆動源と、単一の系統を備える第一伝動系と、複数の系統を備える第二伝動系とによって、遊技領域のほぼ全体をカバーすることも可能になる。
【００１７】
さらに、第一伝動系には、遊技球の入賞に関与する形で第一遊技部材を着脱可能に接続するようにしてもよい。これにより、例えば遊技機（遊技盤）のモデルチェンジやエコノミー仕様（廉価版）追加の際に、入賞に関与する第一遊技部材を設けないタイプ（型式）に対応することも可能になる。
【００１８】
そして、第一伝動系には、第一遊技部材に代わり、遊技球の入賞に関与しない形で遊技盤に配置される、第二遊技部材以外の他の遊技部材を接続して動力伝達を行うこともできる。これにより、例えば遊技機（遊技盤）のモデルチェンジやエコノミー仕様（廉価版）追加の際に、第一遊技部材の代わりに、遊技球の入賞に関与しない他の遊技部材を設けるタイプ（型式）に対応することも可能になる。
【００１９】
次に、このような遊技機用伝動ユニットを遊技機用役物として用いる場合、
第一伝動系には、第一遊技部材を遊技球の入賞に関与する形で着脱可能に接続する一方、
第二伝動系には、第二遊技部材を遊技球の入賞に関与しない形で接続することができる。
【００２０】
これによって、例えば遊技機（遊技盤）のモデルチェンジやエコノミー仕様（廉価版）追加の際に、入賞に関与する第一遊技部材を設けないタイプ（型式）を設定することが容易になる。
【００２１】
また、このような遊技機用伝動ユニットを遊技機用役物として用いる場合、
第一伝動系には、第二遊技部材以外の他の遊技部材を遊技球の入賞に関与しない形で接続する一方、
第二伝動系には、第二遊技部材を遊技球の入賞に関与しない形で接続することもできる。
【００２２】
これによって、例えば遊技機（遊技盤）のモデルチェンジやエコノミー仕様（廉価版）追加の際に、第一遊技部材の代わりに、遊技球の入賞に関与しない他の遊技部材を設けるタイプ（型式）を設定することが容易になる。なお、他の遊技部材として、遊技機用風車、遊技機用振分部材、遊技機用遊技球遊動部材（例えば、スロープ、クルーン）、遊技機用装飾部材（例えば、回転装飾部材）等から選択でき、その作動方式には回転式、スライド式等が含まれる。
【発明を実施するための最良の形態】
【００２３】
（実施例１）
以下、図面を参照しながら発明の実施の形態について説明する。図１は本発明に係る遊技機用役物を備えた遊技機の一例を示す正面図、図２は遊技機用役物の一例を示す斜視図、図３はその遊技機用役物に用いられる遊技機用伝動ユニットの一例を模式的に示す平面図及び正面図、図４はその遊技機用伝動ユニットの一部を模式的に示す背面図である。
【００２４】
図１に示すパチンコ機１（遊技機）の遊技盤２前面には、ほぼ左半周が内外２本の発射レール３によって区画され、全体としてほぼ円形の遊技領域４が形成されている。本発明に係る遊技機用役物の一例としてのセンター役物３０は、この遊技領域４のほぼ中央領域に位置する形で、センター役物用台板３３（取付部材）によって遊技盤２に配置・固定されている。
【００２５】
図２に示すように、センター役物３０の上部には、一対の入賞口３４，３４が左右対称に設置されている。この入賞口３４，３４を開閉するために、回動する羽根部材で構成された開閉翼片３５，３５が各入賞口３４，３４に対応して配置されている。そして、開閉翼片３５，３５が入賞口３４，３４を開放及び閉鎖する作動を後述するように１ないし複数回繰り返す間に入賞口３４，３４から入賞した遊技球Ｂは、センター役物３０内部に配設された左右の球通過孔３６，３６を通る。その後、その遊技球Ｂがセンター役物３０の内部中央の大当たり入賞ゾーン３７（Ｖ入賞ゾーン）に入ると大当たりとなり、その両脇の外れゾーン３８に入ると外れとなる。大当たりになると、開閉翼片３５，３５の開閉作動が所定回数（例えば１８回）に達するまで、又は所定個数（例えば１０個）入賞するまで繰り返し行われる。ただし、遊技球Ｂが球通過孔３６，３６を通ってセンター役物３０内に入れば、その後Ｖ入賞ゾーン３７、外れゾーン３８のいずれに入球するかにかかわらずその遊技球Ｂに対する賞球の払い出しが行われる。
【００２６】
なお、球通過孔３６，３６には球通過センサ３６ａ，３６ａ（球通過検出手段）が設けられている。また、Ｖ入賞ゾーン３７には大当たりセンサ３７ａ（大当たり検出手段）が設けられている。ただし、遊技球Ｂは球通過センサ３６ａ，３６ａで検知されると入賞となる（賞球の払い出しが行われる）ので、大当たりセンサ３７ａで再び検知されても、その遊技球Ｂに対する賞球の払い出しは行われない。これらの球通過センサ３６ａ，３６ａ、大当たりセンサ３７ａには、近接スイッチ等の非接触式センサを用いるとよい。
【００２７】
図１に戻り、遊技盤２の下部（センター役物３０の直下）に設けられる第一及び第二のチャッカ５，６（始動入賞口）には、遊技球がこれらのチャッカ５，６を通過したことを検知することによりセンター役物３０の開閉翼片３５，３５（図２参照）を開閉作動させるための第一及び第二のチャッカセンサ５ａ，６ａ（入球検出手段）が設けられている。また、第一のチャッカセンサ５ａは入球１個につき開閉翼片３５，３５を１回開閉作動させ、第二のチャッカセンサ６ａは入球１個につき開閉翼片３５，３５を複数回（例えば２回）開閉作動させるようにそれぞれ設定されている。なお、チャッカセンサ５ａ，６ａとして近接スイッチ等の非接触式センサを用いるとよい。
【００２８】
以上から明らかなように、このパチンコ機１は、いわゆる「羽根物」（従来の第二種パチンコ機）と通称される遊技機に相当する。なお、本実施例において上方側とは鉛直上方側、下方側とは鉛直下方側を意味する。また、後方側（又は後面側、背面側、裏面側）とは遊技盤２の盤面と直交する方向（すなわち前後方向）におけるパチンコ機１内部に向かう側（すなわち、種々の遊技機用役物の伝動機構や制御用基板が設けられる内部機構側）、前方側（又は前面側）とはそれとは反対側の遊技者に対面する側（遊技者側）を意味する。さらに、左右とは、遊技者側から見て左右を指す。
【００２９】
図２において、センター役物３０は、単一の電動モータ１０（回転駆動源）と、単一の入賞回転盤３１（第一回転体；遊技機用入賞部材；第一遊技部材）と、複数組（例えば２組）のセンター風車群３２，３２（第二回転体；遊技機用風車；第二遊技部材）とを備えている。電動モータ１０のモータ出力軸１１（図３参照；駆動軸）は、センター役物用台板３３（遊技盤２（図１参照）の盤面）に対して交差状（例えば直交状）の軸線を有する。入賞回転盤３１は、入賞口３４，３４から入賞した遊技球Ｂの入賞（特に、大当たり）に直接的に関与する。つまり、入賞口３４，３４からセンター役物３０内に入り球通過センサ３６ａ，３６ａで入賞検知（賞球払出決定）された遊技球Ｂのうち、センター役物３０内のスロープをＶ入賞ゾーンへ流下したものは、入賞回転盤３１によって大当たりセンサ３７ａへ至り、Ｖ入賞通路３７ｂを通って排出される。一方、センター風車群３２，３２は入賞口３４，３４の外部にあって遊技球Ｂの入賞に関与しない。
【００３０】
図３に示すように、入賞回転盤３１は円盤状に形成され、モータ出力軸１１と一体的に回転する。この入賞回転盤３１には、周方向に沿って１又は複数ヶ所（例えば１ヶ所）に切欠状の凹部３１ａが形成されている。入賞回転盤３１は、凹部３１ａが回転上端に位置するときＶ入賞ゾーン３７（図２参照）にある遊技球Ｂを受け入れ保持して所定方向（モータ出力軸１１の回転方向）に回転し、所定の位置で遊技球Ｂを後方側のＶ入賞通路３７ｂ（図２参照）へ向けて排出する。
【００３１】
一方、センター風車群３２，３２は、それぞれ上下方向に並ぶ３個の風車３２ｆ，３２ｆ，３２ｆを有している。各風車３２ｆは、センター役物用台板３３に対して交差状（例えば直交状）の軸線を有する回転軸３２ａに固定され、回転軸３２ａはその台板３３に回転可能に軸支されている。これらの風車３２ｆは盤面上を流下する遊技球が接触すると、その流下方向や流下速度を変更させるが、遊技球の入賞には原則的に関与しない。
【００３２】
また、図３に示すように、センター役物３０には、電動モータ１０の回転駆動力を入賞回転盤３１に伝動する単一系統の第一伝動系２１と、電動モータ１０の回転駆動力をセンター風車群３２，３２に伝動する複数系統（例えば２系統）の第二伝動系２２，２２とを有する遊技機用伝動ユニット（以下、単に伝動ユニットともいう）２０が配設されている。すなわち、センター役物３０は、１個の電動モータ１０と、１系統の第一伝動系２１に接続される１個の入賞回転盤３１と、２系統の第二伝動系２２，２２に各々接続される左右２組のセンター風車群３２，３２とを備えることになる。
【００３３】
第一伝動系２１は、電動モータ１０の比較的近くに位置する入賞回転盤３１へ動力伝達を行う。具体的には、モータ出力軸１１と同軸状に一体回転する駆動歯車２２ａに入賞回転盤３１を固定することによって、直接的な伝動形態を有している。
【００３４】
一方、第二伝動系２２，２２は、電動モータ１０の比較的遠くに位置するセンター風車群３２，３２へ動力伝達を行う。具体的には、各々の第二伝動系２２は、モータ出力軸１１から歯車伝動機構（駆動歯車２２ａと被駆動歯車２２ｂとの噛み合い）を介して駆動される被駆動軸２２ｃを原動軸とし、上記風車３２ｆ，３２ｆ，３２ｆの回転軸３２ａ，３２ａ，３２ａのいずれか（例えば最下段）を従動軸として、その間にたわみ軸２２ｄ（ねじれ回転伝動体）を接続する間接的な伝動形態を有している。なお、各センター風車群３２では、各風車３２ｆの回転軸３２ａにそれぞれ固定される計３個の軸歯車３２ｂと、それら軸歯車３２ｂ間に配置される２個の中間歯車３２ｃとが直列状（鎖状）に噛み合わせられている（図８（ｂ）参照）。
【００３５】
たわみ軸２２ｄは、複数のピアノ線、針金等を細長い線状又は棒状に撚り合わせられることにより、可撓性と軸線周りでの回転に対するねじれ弾性とを有している。図４に示すように、たわみ軸２２ｄの両端にはそれぞれ角柱状の接続部２２ｄ１が形成されている。そして、一端側の接続部２２ｄ１が、原動軸２２ｃの後端面側軸中心に形成された角穴状の接続部２２ｃ１に接続（固定）されるとともに、他端側の接続部２２ｄ１が、従動軸３２ａの後端面側軸中心に形成された角穴状の接続部３２ａ１に接続（固定）され、両軸２２ｃ，３２ａを逆方向に回転させる。
【００３６】
図２及び図３に示すように、センター役物３０を構成する電動モータ１０、伝動ユニット２０、入賞回転盤３１、センター風車群３２，３２等は、センター役物用台板３３（取付部材）に共通して支持され、このセンター役物用台板３３が遊技盤２（図１参照）に固定されている。そして、第一伝動系２１による入賞回転盤３１の回転作動と、第二伝動系２２，２２のたわみ軸２２ｄによるセンター風車群３２，３２の回転作動とが同時に行われる。
【００３７】
次に、図３によりセンター役物３０各部の作動について説明する。電動モータ１０は常時（少なくとも遊技中は常に）所定方向（例えば正面視で時計回り）に回転している。したがって、第一伝動系２１によりモータ出力軸１１から直接的な伝動形態で動力伝達される入賞回転盤３１は、その回転速度に局部的な変動を発生させずに常時一定回転速度で、モータ出力軸１１と同方向に駆動回転される。このように、第一伝動系２１によって遊技に対する公平性が担保され、入賞回転盤３１及びＶ入賞ゾーン３７（図２参照）への入賞に対する信頼感・安心感が維持される。
【００３８】
一方、第二伝動系２２，２２によりモータ出力軸１１から歯車伝動機構（歯車２２ａ，２２ｂの噛み合い）とたわみ軸２２ｄとを含む間接的な伝動形態で動力伝達されるセンター風車群３２，３２の各風車３２ｆは、たわみ軸２２ｄのねじれ弾性により電動モータ１０の回転速度に対して所定範囲の変動を許容された回転速度で、モータ出力軸１１と同方向（入賞回転盤３１とも同方向）に駆動回転される。このように、センター風車群３２，３２には原則として回転速度の均一化が求められないため、第二伝動系２２，２２において、たわみ軸２２ｄを含む比較的安価で簡易的な伝動形態（間接的な伝動形態）を実現できる。
【００３９】
しかも、第二伝動系２２，２２の系統ごとにたわみ軸２２ｄを用いることによって、対応する各々のセンター風車群３２へ同時に動力伝達できる。したがって、遊技盤２（図１参照）の裏面において、センター風車群３２，３２へ動力伝達する第二伝動系２２，２２の省スペース化と構造の簡素化を図れ、製造コストを抑制できる。さらに、入賞回転盤３１及びセンター風車群３２，３２と伝動ユニット２０とを１枚のセンター役物用台板３３に取り付け、一括して遊技盤２に固定しているので、取付けが簡素化される。
【００４０】
ところで、第一伝動系２１に接続される入賞回転盤３１を着脱可能としてもよい。これによって、例えばパチンコ機１（遊技盤２）のモデルチェンジやエコノミー仕様（廉価版）の追加を行う際に、入賞回転盤３１を取り外して、センター役物３０に入賞に関与する入賞回転盤３１を設けないタイプ（型式）を設定することができる。
【００４１】
あるいは、第一伝動系２１には、入賞回転盤３１に代わり、遊技球Ｂの入賞に関与しない他の遊技部材を接続してもよい。これによって、例えばパチンコ機１（遊技盤２）のモデルチェンジやエコノミー仕様（廉価版）の追加を行う際に、入賞回転盤３１の代わりに、遊技球Ｂの入賞に関与しない他の遊技部材を設けるタイプ（型式）を設定することができる。なお、この場合に接続可能な他の遊技部材には、遊技機用振分部材、遊技機用遊技球遊動部材（例えば、スロープ、クルーン）、遊技機用装飾部材（例えば、回転装飾部材）の他、遊技機用風車（又は風車群）等も含まれ、その作動方式は回転式、スライド式等を問わない。
【００４２】
（変形例）
図５に図３（実施例１）の変形例を示す。図５に示すセンター役物３０の遊技機用伝動ユニット２０’では、第二伝動系２２’，２２’においてたわみ軸２２ｄの接続位置が変更されている。具体的には、たわみ軸２２ｄの一端側が、原動軸２２ｃの前端面側軸中心に接続（固定）されるとともに、たわみ軸２２ｄの他端側が、従動軸３２ａの後端面側軸中心に接続（固定）され、両軸２２ｃ，３２ａを同方向に回転させる。
【００４３】
このように、たわみ軸２２ｄは、原動軸２２ｃ及び従動軸３２ａの同じ端面側（前端面同士又は後端面同士）に接続されるときには、両軸２２ｃ，３２ａを互いに逆方向に回転させる（図３及び図４参照）。これに対して、たわみ軸２２ｄは、原動軸２２ｃ及び従動軸３２ａの異なる端面側（一方が前端面で他方が後端面）に接続されるときには、両軸２２ｃ，３２ａを同方向に回転させる（図５参照）。このことは、たわみ軸２２ｄは、「同じ端面側接続」の場合には、歯車、摩擦車等を用いた接触伝動機構や、ベルト、ロープ、ワイヤ、チェン等を用いた十字掛け式巻き掛け伝動機構と同様の動力伝達機能を有し、「異なる端面側接続」の場合には、平行掛け式巻き掛け伝動機構と同様の動力伝達機能を有することを意味している。
【００４４】
しかも、図３（ａ）と図５（ａ）とを対比すれば明らかな通り、「同じ端面側接続」と「異なる端面側接続」との切り換えは、実質的に被駆動歯車２２ｂを前後反転するだけでよい。したがって、たわみ軸２２ｄを用いることによって、電動モータ１０（ひいては第一伝動系２１や入賞回転盤３１）の回転方向を変更することなく、しかも他の動力伝達部材（回転方向切換部材）を要することなく、従動軸３２ａ（風車３２ｆ）の回転方向を容易に変更することができる。なお、図５において、センター役物３０を始め図３（実施例１）と共通する機能を有する部分には、同一符号を付して説明を省略する。
【００４５】
（実施例２）
次に、図６は遊技機用役物の他の例を示す斜視図、図７はその遊技機用役物に用いられる遊技機用伝動ユニットの一例を模式的に示す平面図及び正面図である。
【００４６】
図６に示すセンター役物１３０（遊技機用役物）は、単一の電動モータ１０（回転駆動源）と、Ｖ入賞ゾーン３７を間に挟み左右一対の振分入賞回転体１３１，１３１（第一回転体；遊技機用振分入賞部材；第一遊技部材）と、複数組（例えば２組）のセンター風車群３２，３２（第二回転体；遊技機用風車；第二遊技部材）とを備えている。電動モータ１０のモータ出力軸１１（図７参照；駆動軸）は、センター役物用台板３３（遊技盤２（図１参照）の盤面）に対して平行状（例えば上下方向）の軸線を有する。振分入賞回転体１３１，１３１は、入賞口３４，３４から入賞した遊技球Ｂの入賞（特に、大当たり）に直接的に関与する。つまり、入賞口３４，３４からセンター役物３０内に入り球通過センサ３６ａ，３６ａで入賞検知（賞球払出決定）された遊技球Ｂは、振分入賞回転体１３１，１３１によってＶ入賞ゾーン３７と外れゾーン３８とに振り分けられる。一方、センター風車群３２，３２は入賞口３４，３４の外部にあって遊技球Ｂの入賞には原則的に関与しない。
【００４７】
各振分入賞回転体１３１は（例えばチューリップを象った）軸状に形成され、モータ出力軸１１（図７参照）により駆動回転される。この振分入賞回転体１３１の下半部には、半径方向に突出する壁部１３１ａが、周方向に沿って複数ヶ所（例えば３ヶ所）に形成されている。振分入賞回転体１３１の壁部１３１ａは、センター役物３０内のスロープを手前側に流下する遊技球Ｂに作用して、その遊技球ＢをＶ入賞ゾーン３７と外れゾーン３８とに振り分ける。
【００４８】
また、図７に示すように、センター役物１３０には、電動モータ１０の回転駆動力を振分入賞回転体１３１，１３１に伝動する単一系統の第一伝動系１２１と、電動モータ１０の回転駆動力をセンター風車群３２，３２に伝動する複数系統（例えば２系統）の第二伝動系２２，２２とを有する遊技機用伝動ユニット（以下、単に伝動ユニットともいう）１２０が配設されている。すなわち、センター役物１３０は、１個の電動モータ１０と、１系統の第一伝動系１２１に接続される一対の振分入賞回転体１３１，１３１と、２系統の第二伝動系２２，２２に各々接続される左右２組のセンター風車群３２，３２とを備えることになる。
【００４９】
第一伝動系１２１は、電動モータ１０の比較的近くに位置する振分入賞回転体１３１，１３１へ動力伝達を行う。具体的には、モータ出力軸１１から歯車伝動機構（駆動歯車１２１ａと回転体歯車１２１ｂ，１２１ｂとの噛み合い）を介することによって、間接的な伝動形態を有している。なお、各振分入賞回転体１３１は回転体歯車１２１ｂに固定されて一体回転する。
【００５０】
一方、第二伝動系２２，２２は、電動モータ１０の比較的遠くに位置するセンター風車群３２，３２へ動力伝達を行う。具体的には、各々の第二伝動系２２は、モータ出力軸１１から歯車伝動機構（駆動歯車１２１ａと被駆動歯車２２ｂとの噛み合い）を介して駆動される被駆動軸２２ｃを原動軸とし、上記風車３２ｆ，３２ｆ，３２ｆの回転軸３２ａ，３２ａ，３２ａのいずれか（例えば最下段）を従動軸として、その間にたわみ軸２２ｄ（ねじれ回転伝動体）を接続する間接的な伝動形態を有している。
【００５１】
図６及び図７に示すように、センター役物１３０を構成する電動モータ１０、伝動ユニット１２０、振分入賞回転体１３１，１３１、センター風車群３２，３２等は、センター役物用台板３３（取付部材）に共通して支持され、このセンター役物用台板３３が遊技盤２（図１参照）に固定されている。そして、第一伝動系１２１による振分入賞回転体１３１，１３１の回転作動と、第二伝動系２２，２２のたわみ軸２２ｄによるセンター風車群３２，３２の回転作動とが同時に行われる。
【００５２】
次に、図７によりセンター役物１３０各部の作動について説明する。電動モータ１０は常時（少なくとも遊技中は常に）所定方向（例えば平面視で時計回り）に回転している。したがって、第一伝動系１２１によりモータ出力軸１１から歯車伝動機構（歯車１２１ａ，１２１ｂの噛み合い）を介して間接的な伝動形態で動力伝達される振分入賞回転体１３１，１３１は、その回転速度に局部的な変動を発生させずに常時一定回転速度で、モータ出力軸１１と逆方向に駆動回転される。このように、第一伝動系１２１によって遊技に対する公平性が担保され、振分入賞回転体１３１，１３１及びＶ入賞ゾーン３７（図６参照）への入賞に対する信頼感・安心感が維持される。
【００５３】
一方、第二伝動系２２，２２によりモータ出力軸１１から歯車伝動機構（歯車１２１ａ，２２ｂの噛み合い）とたわみ軸２２ｄとを含む間接的な伝動形態で動力伝達されるセンター風車群３２，３２の各風車３２ｆは、たわみ軸２２ｄのねじれ弾性により電動モータ１０の回転速度に対して所定範囲の変動を許容された回転速度で、モータ出力軸１１と同方向（振分入賞回転体１３１，１３１とは逆方向）に駆動回転される。このように、センター風車群３２，３２には原則として回転速度の均一化が求められないため、第二伝動系２２，２２において、たわみ軸２２ｄを含む比較的安価で簡易的な伝動形態（間接的な伝動形態）を実現できる。
【００５４】
なお、第一伝動系１２１に接続される振分入賞回転体１３１，１３１を着脱可能としてもよい。あるいは、第一伝動系１２１には、振分入賞回転体１３１，１３１に代わり、遊技球Ｂの入賞に関与しない他の遊技部材を接続してもよい。これらによって、実施例１と同様に、例えばパチンコ機１（遊技盤２）のモデルチェンジやエコノミー仕様（廉価版）の追加が容易に行なえるようになる。また、図６及び図７（実施例２）において、図１〜図４（実施例１）と共通する機能を有する部分には同一符号を付して説明を省略する。
【００５５】
（変形例）
図８に図７（実施例２）の変形例を示す。図８のセンター役物１３０’では、センター風車群３２’，３２’の各風車３２ｆは、センター役物用台板３３に対して斜め交差状の軸線を有する回転軸３２ａ’に固定され、回転軸３２ａ’はその台板３３に回転可能に軸支されている。
【００５６】
このように回転軸３２ａ’を斜め交差状に配置する場合でも、風車３２ｆは盤面上を流下する遊技球が接触したときその流下方向や流下速度を変更させるが、遊技球の入賞には原則的に関与しない。なお、図８において、伝動ユニット１２０を始め図７（実施例２）と共通する機能を有する部分には、同一符号を付して説明を省略する。
【００５７】
（実施例３）
次に、図９は遊技機用役物のさらに他の例を示す斜視図、図１０はその遊技機用役物に用いられる遊技機用伝動ユニットの一例を模式的に示す平面図及び正面図である。
【００５８】
図９において、別体役物２３０（遊技機用役物）は、単一の電動モータ１０（回転駆動源）と、単一の入賞回転盤３１（第一回転体；遊技機用入賞部材；第一遊技部材）と、複数（例えば２個）の単体風車２３２，２３２（第二回転体；遊技機用風車；第二遊技部材）とを備えている。電動モータ１０のモータ出力軸１１（図１０参照；駆動軸）は、センター役物用台板３３（第一の取付部材）、すなわち遊技盤２（図１参照）の盤面に対して交差状（例えば直交状）の軸線を有する。入賞回転盤３１は、入賞口３４，３４から入賞した遊技球Ｂの入賞（特に、大当たり）に直接的に関与する。一方、単体風車２３２，２３２は、センター役物用台板３３を間に挟んで左右に配置される単体風車用台板２３３，２３３（第二の取付部材）に支持され、遊技盤２（図１参照）の盤面に配置・固定されているので、遊技球Ｂの入賞に関与しない。
【００５９】
図１０に示すように、各単体風車２３２（風車３２ｆ）は、単体風車用台板２３３に対して交差状（例えば直交状）の軸線を有する回転軸３２ａに固定され、回転軸３２ａはその台板２３３に回転可能に軸支されている。これらの風車３２ｆは盤面上を流下する遊技球が接触すると、その流下方向や流下速度を変更させるが、遊技球の入賞には原則的に関与しない。
【００６０】
また、別体役物２３０には、電動モータ１０の回転駆動力を入賞回転盤３１に伝動する単一系統の第一伝動系２１と、電動モータ１０の回転駆動力を単体風車２３２，２３２に伝動する複数系統（例えば２系統）の第二伝動系２２２，２２２とを有する遊技機用伝動ユニット（以下、単に伝動ユニットともいう）２２０が配設されている。すなわち、別体役物２３０は、１個の電動モータ１０と、１系統の第一伝動系２１に接続される１個の入賞回転盤３１と、２系統の第二伝動系２２２，２２２に各々接続される左右一対の単体風車２３２，２３２とを備えることになる。
【００６１】
第一伝動系２１は、電動モータ１０の比較的近くに位置する入賞回転盤３１へ動力伝達を行う。具体的には、モータ出力軸１１と同軸状に一体回転する駆動歯車２２ａに入賞回転盤３１を固定することによって、直接的な伝動形態を有している。
【００６２】
一方、第二伝動系２２２，２２２は、電動モータ１０の比較的遠くに位置する単体風車２３２，２３２へ動力伝達を行う。具体的には、各々の第二伝動系２２２は、モータ出力軸１１から歯車伝動機構（駆動歯車２２ａと被駆動歯車２２ｂとの噛み合い）を介して駆動される被駆動軸２２ｃを原動軸とし、上記単体風車２３２（風車３２ｆ）の回転軸３２ａを従動軸として、その間にたわみ軸２２ｄ（ねじれ回転伝動体）を接続する間接的な伝動形態を有している。
【００６３】
図９及び図１０に示すように、別体役物２３０を構成する電動モータ１０、第一伝動系２１、入賞回転盤３１等は、センター役物用台板３３（第一の取付部材）に支持され、このセンター役物用台板３３が遊技盤２（図１参照）に固定されている。一方、各々の第二伝動系２２２、単体風車２３２等は、単体風車用台板２３３（第二の取付部材）に支持され、この単体風車用台板２３３が遊技盤２（図１参照）に固定されている。そして、第一伝動系２１による入賞回転盤３１の回転作動と、第二伝動系２２２，２２２のたわみ軸２２ｄによる単体風車２３２，２３２の回転作動とが同時に行われる。
【００６４】
次に、図１０により別体役物２３０各部の作動について説明する。電動モータ１０は常時（少なくとも遊技中は常に）所定方向（例えば正面視で時計回り）に回転している。したがって、第一伝動系２１によりモータ出力軸１１から直接的な伝動形態で動力伝達される入賞回転盤３１は、その回転速度に局部的な変動を発生させずに常時一定回転速度で、モータ出力軸１１と同方向に駆動回転される。このように、第一伝動系２１によって遊技に対する公平性が担保され、入賞回転盤３１及びＶ入賞ゾーン３７（図９参照）への入賞に対する信頼感・安心感が維持される。
【００６５】
一方、第二伝動系２２２，２２２によりモータ出力軸１１から歯車伝動機構（歯車２２ａ，２２ｂの噛み合い）とたわみ軸２２ｄとを含む間接的な伝動形態で動力伝達される単体風車２３２，２３２の各風車３２ｆは、たわみ軸２２ｄのねじれ弾性により電動モータ１０の回転速度に対して所定範囲の変動を許容された回転速度で、モータ出力軸１１と同方向（入賞回転盤３１とも同方向）に駆動回転される。このように、単体風車２３２，２３２には原則として回転速度の均一化が求められないため、第二伝動系２２２，２２２において、たわみ軸２２ｄを含む比較的安価で簡易的な伝動形態（間接的な伝動形態）を実現できる。
【００６６】
また、入賞回転盤３１と第一伝動系２１とをセンター役物用台板３３に取り付け、単体風車２３２と第二伝動系２２２とを単体風車用台板２３３に取り付けている。これによって、単体風車２３２が電動モータ１０に対して遊技領域４の遠方に位置する場合であっても、広く適用することができる（図１参照）。なお、図９及び図１０（実施例３）において、図１〜図４（実施例１）と共通する機能を有する部分には同一符号を付して説明を省略する。
【００６７】
（実施例４）
次に、図１１は遊技機用役物のさらに他の例を示す斜視図、図１２はその遊技機用役物に用いられる遊技機用伝動ユニットの一例を模式的に示す平面図及び正面図である。この実施例は、図１〜図４で説明した実施例１と図９及び図１０で説明した実施例３とを合体したものに相当する。
【００６８】
図１１において、複合役物３３０（遊技機用役物）は、単一の電動モータ１０（回転駆動源）と、単一の入賞回転盤３１（第一回転体；遊技機用入賞部材；第一遊技部材）と、複数組（例えば２組）のセンター風車群３２，３２（第二回転体；遊技機用風車；第二遊技部材）と、複数（例えば２個）の単体風車２３２，２３２（第二回転体；遊技機用風車；第二遊技部材）とを備えている。電動モータ１０のモータ出力軸１１（図１２参照；駆動軸）は、センター役物用台板３３（第一の取付部材）、すなわち遊技盤２（図１参照）の盤面に対して交差状（例えば直交状）の軸線を有する。入賞回転盤３１は、入賞口３４，３４から入賞した遊技球Ｂの入賞（特に、大当たり）に直接的に関与する。一方、センター風車群３２，３２は入賞口３４，３４の外部にあって遊技球Ｂの入賞には原則的に関与しない。さらに、単体風車２３２，２３２は、センター役物用台板３３を間に挟んで左右に配置される単体風車用台板２３３，２３３（第二の取付部材）に支持され、遊技盤２（図１参照）の盤面に配置・固定されているので、遊技球Ｂの入賞には原則的に関与しない。
【００６９】
図１２に示すように、複合役物３３０には、電動モータ１０の回転駆動力を入賞回転盤３１に伝動する単一系統の第一伝動系２１と、電動モータ１０の回転駆動力をセンター風車群３２，３２に伝動する複数系統（例えば２系統）の第二伝動系２２，２２と、電動モータ１０の回転駆動力を単体風車２３２，２３２に伝動する複数系統（例えば２系統）の第二伝動系２２２，２２２とを有する遊技機用伝動ユニット（以下、単に伝動ユニットともいう）３２０が配設されている。すなわち、複合役物３３０は、１個の電動モータ１０と、１系統の第一伝動系２１に接続される１個の入賞回転盤３１と、２系統の第二伝動系２２，２２に各々接続される左右２組のセンター風車群３２，３２と、２系統の第二伝動系２２２，２２２に各々接続される左右一対の単体風車２３２，２３２とを備えることになる。
【００７０】
第一伝動系２１は、電動モータ１０の比較的近くに位置する入賞回転盤３１へ動力伝達を行う。具体的には、モータ出力軸１１と同軸状に一体回転する駆動歯車２２ａに入賞回転盤３１を固定することによって、直接的な伝動形態を有している。
【００７１】
一方、第二伝動系２２，２２は、電動モータ１０の比較的遠くに位置するセンター風車群３２，３２へ動力伝達を行う。具体的には、各々の第二伝動系２２は、モータ出力軸１１から歯車伝動機構（駆動歯車２２ａと被駆動歯車２２ｂとの噛み合い）を介して駆動される被駆動軸２２ｃを原動軸とし、上記風車３２ｆ，３２ｆ，３２ｆの回転軸３２ａ，３２ａ，３２ａのいずれか（例えば最下段）を従動軸として、その間にたわみ軸２２ｄ（ねじれ回転伝動体）を接続する間接的な伝動形態を有している。
【００７２】
さらに、第二伝動系２２２，２２２は、電動モータ１０の比較的遠くに位置する単体風車２３２，２３２へ動力伝達を行う。具体的には、各々の第二伝動系２２２は、モータ出力軸１１から歯車伝動機構（駆動歯車２２ａと被駆動歯車２２ｂとの噛み合い）を介して駆動される被駆動軸２２ｃを原動軸とし、上記単体風車２３２（風車３２ｆ）の回転軸３２ａを従動軸として、その間にたわみ軸２２ｄ（ねじれ回転伝動体）を接続する間接的な伝動形態を有している。なお、伝動ユニット３２０が第二伝動系２２，２２と第二伝動系２２２，２２２とを併有できるように、各原動軸２２ｃの両端には、それぞれたわみ軸２２ｄ，２２ｄが接続（固定）されている。
【００７３】
図１１及び図１２に示すように、複合役物３３０を構成する電動モータ１０、第一伝動系２１、入賞回転盤３１、第二伝動系２２，２２、センター風車群３２，３２等は、センター役物用台板３３（第一の取付部材）に共通して支持され、このセンター役物用台板３３が遊技盤２（図１参照）に固定されている。一方、各々の第二伝動系２２２、単体風車２３２等は、単体風車用台板２３３（第二の取付部材）に支持され、この単体風車用台板２３３が遊技盤２（図１参照）に固定されている。そして、第一伝動系２１による入賞回転盤３１の回転作動と、第二伝動系２２，２２のたわみ軸２２ｄによるセンター風車群３２，３２の回転作動と、第二伝動系２２２，２２２のたわみ軸２２ｄによる単体風車２３２，２３２の回転作動とが同時に行われる。
【００７４】
次に、図１２により複合役物３３０各部の作動について説明する。電動モータ１０は常時（少なくとも遊技中は常に）所定方向（例えば正面視で時計回り）に回転している。したがって、第一伝動系２１によりモータ出力軸１１から直接的な伝動形態で動力伝達される入賞回転盤３１は、その回転速度に局部的な変動を発生させずに常時一定回転速度で、モータ出力軸１１と同方向に駆動回転される。このように、第一伝動系２１によって遊技に対する公平性が担保され、入賞回転盤３１及びＶ入賞ゾーン３７（図１１参照）への入賞に対する信頼感・安心感が維持される。
【００７５】
一方、第二伝動系２２，２２によりモータ出力軸１１から歯車伝動機構（歯車２２ａ，２２ｂの噛み合い）とたわみ軸２２ｄとを含む間接的な伝動形態で動力伝達されるセンター風車群３２，３２の各風車３２ｆは、たわみ軸２２ｄのねじれ弾性により電動モータ１０の回転速度に対して所定範囲の変動を許容された回転速度で、モータ出力軸１１と逆方向（入賞回転盤３１とも逆方向）に駆動回転される。このように、センター風車群３２，３２には原則として回転速度の均一化が求められないため、第二伝動系２２，２２において、たわみ軸２２ｄを含む比較的安価で簡易的な伝動形態（間接的な伝動形態）を実現できる。
【００７６】
さらに、第二伝動系２２２，２２２によりモータ出力軸１１から歯車伝動機構（歯車２２ａ，２２ｂの噛み合い）とたわみ軸２２ｄとを含む間接的な伝動形態で動力伝達される単体風車２３２，２３２の各風車３２ｆは、たわみ軸２２ｄのねじれ弾性により電動モータ１０の回転速度に対して所定範囲の変動を許容された回転速度で、モータ出力軸１１と同方向（入賞回転盤３１とも同方向）に駆動回転される。このように、単体風車２３２，２３２には原則として回転速度の均一化が求められないため、第二伝動系２２２，２２２において、たわみ軸２２ｄを含む比較的安価で簡易的な伝動形態（間接的な伝動形態）を実現できる。
【００７７】
なお、図１１及び図１２（実施例４）において、図１〜図４（実施例１）及び図９・図１０（実施例３）と共通する機能を有する部分には同一符号を付して説明を省略する。
【００７８】
（変形例）
図１３に図１２（実施例４）の変形例を示す。図１３に示す複合役物３３０の遊技機用伝動ユニット３２０’では、第二伝動系２２’，２２’及び第二伝動系２２２’，２２２’においてたわみ軸２２ｄの接続位置が変更されている。具体的には、第二伝動系２２’，２２’において、たわみ軸２２ｄの一端側が、原動軸２２ｃの後端面側軸中心に接続（固定）されるとともに、たわみ軸２２ｄの他端側が、センター風車群３２側の従動軸３２ａの後端面側軸中心に接続（固定）され、両軸２２ｃ，３２ａを逆方向に回転させる。一方、第二伝動系２２２’，２２２’において、たわみ軸２２ｄの一端側が、原動軸２２ｃの前端面側軸中心に接続（固定）されるとともに、たわみ軸２２ｄの他端側が、単体風車２３２側の従動軸３２ａの後端面側軸中心に接続（固定）され、両軸２２ｃ，３２ａを同方向に回転させる。
【００７９】
したがって、図１２（ａ）と図１３（ａ）とを対比すれば明らかな通り、第二伝動系２２’のたわみ軸２２ｄと第二伝動系２２２’のたわみ軸２２ｄとを、原動軸２２ｃの前後いずれの端面に接続するかによって、それぞれの伝動系２２’，２２２’の従動軸３２ａ（風車３２ｆ）の回転方向を容易に変更することができる。なお、図１３において、複合役物３３０を始め図１２（実施例４）と共通する機能を有する部分には、同一符号を付して説明を省略する。
【００８０】
以上の実施例で説明した線状又は棒状のたわみ軸２２ｄの他に、紐状、コイル状等の種々の形状のねじれ回転伝動体を用いることができる。そして、たわみ軸２２ｄ等のねじれ回転伝動体による回転方向の変更は、実施例２及び３においても実施例１及び４の場合と同様に行うことができる。
【図面の簡単な説明】
【００８１】
【図１】本発明に係る遊技機用役物を備えた遊技機の一例を示す正面図。
【図２】遊技機用役物の一例を示す斜視図。
【図３】図２の遊技機用役物に用いられる遊技機用伝動ユニットの一例を模式的に示す平面図及び正面図。
【図４】図３の遊技機用伝動ユニットの一部を模式的に示す背面図。
【図５】図３の変形例を示す平面図及び正面図。
【図６】遊技機用役物の他の例を示す斜視図。
【図７】図６の遊技機用役物に用いられる遊技機用伝動ユニットの一例を模式的に示す平面図及び正面図。
【図８】図７の変形例を示す平面図及び正面図。
【図９】遊技機用役物のさらに他の例を示す斜視図。
【図１０】図９の遊技機用役物に用いられる遊技機用伝動ユニットの一例を模式的に示す平面図及び正面図。
【図１１】遊技機用役物のさらに他の例を示す斜視図。
【図１２】図１１の遊技機用役物に用いられる遊技機用伝動ユニットの一例を模式的に示す平面図及び正面図。
【図１３】図１２の変形例を示す平面図及び正面図。
【符号の説明】
【００８２】
１        パチンコ機（遊技機）
２        遊技盤
４        遊技領域
１０      電動モータ（回転駆動源）
１１      モータ出力軸（駆動軸）
２０，１２０，２２０，３２０  遊技機用伝動ユニット
２１，１２１  第一伝動系
２２，２２２  第二伝動系
２２ｃ    原動軸（被駆動軸）
２２ｄ    たわみ軸（ねじれ回転伝動体）
３０，１３０  センター役物（遊技機用役物）
３１      入賞回転盤（第一回転体；遊技機用入賞部材；第一遊技部材）
３２      センター風車群（第二回転体；遊技機用風車；第二遊技部材）
３２ａ    従動軸（回転軸）
３２ｆ    風車
３３      センター役物用台板（取付部材；第一の取付部材）
１３１    振分入賞回転体（第一回転体；遊技機用振分入賞部材；第一遊技部材）
２３０    別体役物（遊技機用役物）
２３２    単体風車（第二回転体；遊技機用風車；第二遊技部材）
２３３    単体風車用台板（第二の取付部材）
３３０    複合役物（遊技機用役物）
【図１】
0004756688.tif 000002
【図２】
0004756688.tif 000003
【図３】
0004756688.tif 000004
【図４】
0004756688.tif 000005
【図５】
0004756688.tif 000006
【図６】
0004756688.tif 000007
【図７】
0004756688.tif 000008
【図８】
0004756688.tif 000009
【図９】
0004756688.tif 000010
【図１０】
0004756688.tif 000011
【図１１】
0004756688.tif 000012
【図１２】
0004756688.tif 000013
【図１３】
0004756688.tif 000014